【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局への１つまたは複数のアップリンク送信の送信のために共有無線周波数スペクトル帯域内でアップリンクリソースの第１のセットとアップリンクリソースの第２のセットとを構成する構成情報を前記基地局から受信すること、前記アップリンクリソースの第１のセットは、前記アップリンクリソースの第２のセットに時間的に隣接する、と、
前記基地局からの１つまたは複数のダウンリンク送信に少なくとも部分的に基づいて前記基地局へのアップリンク制御チャネル送信のために前記アップリンクリソースの第１のセットまたは前記アップリンクリソースの第２のセットを選択することと、
アップリンクリソースの前記選択された第１のセットまたはアップリンクリソースの前記選択された第２のセットを使用して前記基地局に前記１つまたは複数のアップリンク送信を送信することと
を備え、前記アップリンクリソースの第１のセットと前記アップリンクリソースの第２のセットとの各々は、関連するアップリンク制御チャネルリソースを有し、
前記アップリンクリソースの第１のセットまたは前記アップリンクリソースの第２のセットの前記選択は、アップリンク送信持続時間の時間境界に対する、前記アップリンクリソースの第１のセットに関連する前記アップリンク制御チャネルリソースの時間的ロケーションと、前記アップリンクリソースの第２のセットに関連する前記アップリンク制御チャネルリソースの時間的ロケーションとに少なくとも部分的に基づく、
方法。
【請求項２】
前記選択することは、
前記基地局からの１つまたは複数のダウンリンク送信が、前記アップリンクリソースの第１のセットに関連するダウンリンクリソースを使用して送信されることを識別することと、
前記識別することに少なくとも部分的に基づいて前記１つまたは複数のアップリンク送信のために前記アップリンクリソースの第１のセットを選択することと
を備える、請求項１に記載の方法。
【請求項３】
前記選択することは、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で受信することを備える、
請求項１に記載の方法。
【請求項４】
前記１つまたは複数のアップリンク送信は、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
請求項１に記載の方法。
【請求項５】
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
請求項１に記載の方法。
【請求項６】
前記送信することは、
前記基地局から受信されたアップリンク許可に少なくとも部分的に基づいて無線フレームの１つまたは複数のダウンリンクアップリンクパートの各々のためにアップリンクリソースの前記選択された第１のセットまたはアップリンクリソースの前記選択された第２のセットを使用して送信することを備える、
請求項１に記載の方法。
【請求項７】
前記基地局への前記アップリンク制御チャネル送信は、１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含む、
請求項１に記載の方法。
【請求項８】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、ドロップされる、
請求項１に記載の方法。
【請求項９】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
請求項１に記載の方法。
【請求項１０】
前記１つまたは複数のアップリンク送信は、サウンディング基準信号（ＳＲＳ）送信を含み、構成されたＳＲＳロケーションが、アップリンクリソースの前記選択されたセット内にあるとき、前記ＳＲＳは、アップリンクリソースの前記選択されたセット中で送信され、前記構成されたＳＲＳロケーションが、アップリンクリソースの前記選択されたセットとはアップリンクリソースの異なるセット中にあるとき、スケジュールされたＳＲＳ送信は、ドロップされ、前記ＳＲＳロケーションが構成されないとき、前記ＳＲＳ送信は、アップリンクリソースのいずれかの選択されたセット中で送信される、
請求項１に記載の方法。
【請求項１１】
ワイヤレス通信のための方法であって、
基地局において、少なくとも１つのユーザ機器（ＵＥ）のアップリンク送信のために共有無線周波数スペクトル帯域内でアップリンクリソースの第１のセットとアップリンクリソースの第２のセットとを構成すること、前記アップリンクリソースの第１のセットは、前記アップリンクリソースの第２のセットに時間的に隣接し、前記アップリンクリソースの第１のセットと前記アップリンクリソースの第２のセットとの各々は、関連するアップリンク制御チャネルリソースを有する、と、
前記第１のＵＥのアップリンク送信持続時間の時間境界に対する、前記アップリンクリソースの第１のセットに関連する前記制御チャネルリソースの時間的ロケーションと、前記アップリンクリソースの第２のセットに関連する前記制御チャネルリソースの時間的ロケーションとに少なくとも部分的に基づいて、第１のＵＥの１つまたは複数のアップリンク送信のために前記アップリンクリソースの第１のセットまたは前記アップリンクリソースの第２のセットを選択することと、
前記アップリンクリソースの第１のセットまたは前記アップリンクリソースの第２のセットのうちのどちらが前記１つまたは複数のアップリンク送信のために使用されるべきかを示すインジケーションを前記第１のＵＥに送信することと
を備える、方法。
【請求項１２】
ダウンリンクリソースの第１のセットを使用して前記第１のＵＥに１つまたは複数のダウンリンク送信を送信することをさらに備え、前記１つまたは複数のダウンリンク送信のために使用されるダウンリンクリソースの前記第１のセットは、前記アップリンクリソースの第１のセットが前記１つまたは複数のアップリンク送信のために使用されるべきことを前記ＵＥに示す、
請求項１１に記載の方法。
【請求項１３】
前記第１のＵＥに前記インジケーションを前記送信することは、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で送信することを備える、
請求項１１に記載の方法。
【請求項１４】
前記１つまたは複数のアップリンク送信は、１つまたは複数のアップリンク部分と、１つまたは複数のダウンリンク部分とを有する無線フレーム内で送信され、各アップリンク部分が、前記アップリンクリソースの第１のセットと、前記アップリンクリソースの第２のセットとに区分される、
請求項１１に記載の方法。
【請求項１５】
前記アップリンクリソースの第１のセットと前記アップリンクリソースの第２のセットとの各々がアップリンク制御チャネルリソースを有し、前記アップリンク制御チャネルリソースは、前記アップリンクリソースの第１のセットと前記アップリンクリソースの第２のセットとの各々のために独立して構成される、
請求項１１に記載の方法。
【請求項１６】
前記構成することは、
無線フレームの１つまたは複数のダウンリンクアップリンクパートの各々のために前記アップリンクリソースの第１のセットと前記アップリンクリソースの第２のセットとを構成することを備える、
請求項１１に記載の方法。
【請求項１７】
１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含むアップリンク制御チャネル送信を前記第１のＵＥから受信することをさらに備える、
請求項１１に記載の方法。
【請求項１８】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がドロップされる、
請求項１１に記載の方法。
【請求項１９】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
請求項１１に記載の方法。
【請求項２０】
ワイヤレス通信のための装置であって、
請求項１乃至１９のいずれか１項に記載の方法を実行するための手段を備える、装置。
【請求項２１】
コンピュータによって実行されると、前記コンピュータに、請求項１乃至１９のいずれか１項に記載の方法を実行させるワイヤレス通信のためのコンピュータ実行可能コードを記憶するコンピュータ可読媒体。
【手続補正２】
【補正対象書類名】明細書
【補正対象項目名】０２２７
【補正方法】変更
【補正の内容】
【０２２７】
[0239]本明細書の説明は、当業者が本開示を作成または使用することを可能にするように提供される。本開示に対する様々な修正は当業者には容易に明らかとなり、本明細書で定義された一般原理は、本開示の範囲から逸脱することなく他の変形形態に適用され得る。したがって、本開示は、本明細書に記載された例および設計に限定されず、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
基地局への１つまたは複数のアップリンク送信の送信のために共有無線周波数スペクトル帯域内でアップリンクリソースの第１のセットとアップリンクリソースの第２のセットとを構成する構成情報を前記基地局から受信すること、前記アップリンクリソースの第１のセットは、前記アップリンクリソースの第２のセットに時間的に隣接する、と、
前記基地局からの１つまたは複数のダウンリンク送信に少なくとも部分的に基づいて前記基地局へのアップリンク制御チャネル送信のために前記アップリンクリソースの第１のセットまたは前記アップリンクリソースの第２のセットを選択することと、
アップリンクリソースの前記選択された第１のセットまたはアップリンクリソースの前記選択された第２のセットを使用して前記基地局に前記１つまたは複数のアップリンク送信を送信することと
を備える、方法。
［Ｃ２］
前記アップリンクリソースの第１のセットと前記アップリンクリソースの第２のセットとの各々は、関連するアップリンク制御チャネルリソースを有する、
Ｃ１に記載の方法。
［Ｃ３］
前記アップリンクリソースの第１のセットまたは前記アップリンクリソースの第２のセットの前記選択は、アップリンク送信持続時間の時間境界に対する、前記アップリンクリソースの第１のセットに関連する前記アップリンク制御チャネルリソースの時間的ロケーションと、前記アップリンクリソースの第２のセットに関連する前記アップリンク制御チャネルリソースの時間的ロケーションとに少なくとも部分的に基づく、
Ｃ２に記載の方法。
［Ｃ４］
前記選択することは、
前記基地局からの１つまたは複数のダウンリンク送信が、前記アップリンクリソースの第１のセットに関連するダウンリンクリソースを使用して送信されることを識別することと、
前記識別することに少なくとも部分的に基づいて前記１つまたは複数のアップリンク送信のために前記アップリンクリソースの第１のセットを選択することと
を備える、Ｃ１に記載の方法。
［Ｃ５］
前記選択することは、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で受信することを備える、
Ｃ１に記載の方法。
［Ｃ６］
前記１つまたは複数のアップリンク送信は、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
Ｃ１に記載の方法。
［Ｃ７］
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
Ｃ１に記載の方法。
［Ｃ８］
前記送信することは、
前記基地局から受信されたアップリンク許可に少なくとも部分的に基づいて無線フレームの１つまたは複数のダウンリンクアップリンクパートの各々のためにアップリンクリソースの前記選択された第１のセットまたはアップリンクリソースの前記選択された第２のセットを使用して送信することを備える、
Ｃ１に記載の方法。
［Ｃ９］
前記基地局から受信された前記アップリンク許可は、前記アップリンクリソースの第１のセットまたは前記アップリンクリソースの第２のセットのうちのどちらが前記無線フレームの各ダウンリンクアップリンクパートのために使用されるべきかを動的に示す、
Ｃ８に記載の方法。
［Ｃ１０］
前記基地局への前記アップリンク制御チャネル送信は、１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含む、
Ｃ１に記載の方法。
［Ｃ１１］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、ドロップされる、
Ｃ１に記載の方法。
［Ｃ１２］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
Ｃ１に記載の方法。
［Ｃ１３］
前記第１のサブフレーム内の前記アップリンク共有チャネル送信は、前記アップリンク制御チャネル送信リソースと、１つまたは複数の他の送信機の１つまたは複数の他のアップリンク制御チャネル送信リソースとの周りでレートマッチングされる、
Ｃ１２に記載の方法。
［Ｃ１４］
前記１つまたは複数のアップリンク送信は、サウンディング基準信号（ＳＲＳ）送信を含み、構成されたＳＲＳロケーションが、アップリンクリソースの前記選択されたセット内にあるとき、前記ＳＲＳは、アップリンクリソースの前記選択されたセット中で送信され、前記構成されたＳＲＳロケーションが、アップリンクリソースの前記選択されたセットとはアップリンクリソースの異なるセット中にあるとき、スケジュールされたＳＲＳ送信は、ドロップされ、前記ＳＲＳロケーションが構成されないとき、前記ＳＲＳ送信は、アップリンクリソースのいずれかの選択されたセット中で送信される、
Ｃ１に記載の方法。
［Ｃ１５］
ワイヤレス通信のための方法であって、
基地局において、少なくとも１つのユーザ機器（ＵＥ）のアップリンク送信のために共有無線周波数スペクトル帯域内でアップリンクリソースの第１のセットとアップリンクリソースの第２のセットとを構成すること、前記アップリンクリソースの第１のセットは、前記アップリンクリソースの第２のセットに時間的に隣接し、前記アップリンクリソースの第１のセットと前記アップリンクリソースの第２のセットとの各々は、関連するアップリンク制御チャネルリソースを有する、と、
前記第１のＵＥのアップリンク送信持続時間の時間境界に対する、前記アップリンクリソースの第１のセットに関連する前記制御チャネルリソースの時間的ロケーションと、前記アップリンクリソースの第２のセットに関連する前記制御チャネルリソースの時間的ロケーションとに少なくとも部分的に基づいて、第１のＵＥの１つまたは複数のアップリンク送信のために前記アップリンクリソースの第１のセットまたは前記アップリンクリソースの第２のセットを選択することと、
前記アップリンクリソースの第１のセットまたは前記アップリンクリソースの第２のセットのうちのどちらが前記１つまたは複数のアップリンク送信のために使用されるべきかを示すインジケーションを前記第１のＵＥに送信することと
を備える、方法。
［Ｃ１６］
ダウンリンクリソースの第１のセットを使用して前記第１のＵＥに１つまたは複数のダウンリンク送信を送信することをさらに備え、前記１つまたは複数のダウンリンク送信のために使用されるダウンリンクリソースの前記第１のセットは、前記アップリンクリソースの第１のセットが前記１つまたは複数のアップリンク送信のために使用されるべきことを前記ＵＥに示す、
Ｃ１５に記載の方法。
［Ｃ１７］
前記第１のＵＥに前記インジケーションを前記送信することは、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で送信することを備える、
Ｃ１５に記載の方法。
［Ｃ１８］
前記１つまたは複数のアップリンク送信は、１つまたは複数のアップリンク部分と、１つまたは複数のダウンリンク部分とを有する無線フレーム内で送信され、各アップリンク部分が、前記アップリンクリソースの第１のセットと、前記アップリンクリソースの第２のセットとに区分される、
Ｃ１５に記載の方法。
［Ｃ１９］
前記アップリンクリソースの第１のセットと前記アップリンクリソースの第２のセットとの各々がアップリンク制御チャネルリソースを有し、前記アップリンク制御チャネルリソースは、前記アップリンクリソースの第１のセットと前記アップリンクリソースの第２のセットとの各々のために独立して構成される、
Ｃ１５に記載の方法。
［Ｃ２０］
前記構成することは、
無線フレームの１つまたは複数のダウンリンクアップリンクパートの各々のために前記アップリンクリソースの第１のセットと前記アップリンクリソースの第２のセットとを構成することを備える、
Ｃ１５に記載の方法。
［Ｃ２１］
前記第１のＵＥに前記インジケーションを前記送信することは、
前記アップリンクリソースの第１のセットまたは前記アップリンクリソースの第２のセットのうちのどちらが前記無線フレームの各ダウンリンクアップリンクパートのために使用されるべきかを動的に示す１つまたは複数のアップリンク許可を前記第１のＵＥに送信することを備える、
Ｃ２０に記載の方法。
［Ｃ２２］
１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含むアップリンク制御チャネル送信を前記第１のＵＥから受信することをさらに備える、
Ｃ１５に記載の方法。
［Ｃ２３］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がドロップされる、
Ｃ１５に記載の方法。
［Ｃ２４］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
Ｃ１５に記載の方法。
［Ｃ２５］
前記第１のサブフレーム内の前記アップリンク共有チャネル送信は、前記アップリンク制御チャネル送信リソースと、１つまたは複数の他の送信機の１つまたは複数の他のアップリンク制御チャネル送信リソースとの周りでレートマッチングされる、
Ｃ２４に記載の方法。
［Ｃ２６］
ワイヤレス通信のための方法であって、
ユーザ機器（ＵＥ）から基地局への１つまたは複数のアップリンク送信のためにアップリンク共有チャネルリソースとアップリンク制御チャネルリソースとを構成する構成情報を前記基地局から前記ＵＥにおいて受信することと、
前記基地局に送信されるべきアップリンク制御情報（ＵＣＩ）を識別することと、
前記アップリンク共有チャネルリソースが前記基地局への前記ＵＣＩの送信のために十分なリソースを含むと決定することと、
前記決定することに応答して、前記アップリンク共有チャネルリソースを使用して前記基地局に前記ＵＣＩを送信することと
を備える、方法。
［Ｃ２７］
前記アップリンク共有チャネルリソースが前記基地局への前記ＵＣＩの送信のために不十分なリソースを含むと決定することに応答して、前記アップリンク制御チャネルリソースを使用して前記基地局に前記ＵＣＩを送信することをさらに備える、
Ｃ２６に記載の方法。
［Ｃ２８］
前記基地局からダウンリンク制御情報（ＤＣＩ）送信を受信することをさらに備え、前記ＤＣＩ送信は、前記アップリンク共有チャネルリソースが前記ＵＣＩを送信するために使用されることが可能かどうかのインジケーションを含み、前記決定することは、前記アップリンク共有チャネルリソースが前記ＵＣＩを送信するために使用されることが可能であるというＤＣＩインジケーションを受信することに応答して実施される、
Ｃ２７に記載の方法。
［Ｃ２９］
前記ＵＣＩは、前記基地局から受信された１つまたは複数のダウンリンク送信の後に、無線フレームの第１の有効なサブフレーム中で送信される１つまたは複数のダウンリンク送信の受信に肯定応答する肯定応答フィードバックか、チャネル状態情報（ＣＳＩ）が利用可能であり、前記ＵＥが、前記無線フレーム中でＣＳＩを報告するように構成されたとき、前記無線フレームのいずれかの利用可能なサブフレーム中で送信されるチャネルの１つまたは複数の測定パラメータを示すＣＳＩか、あるいはそれらの任意の組合せを含む、
Ｃ２６に記載の方法。
［Ｃ３０］
前記アップリンク共有チャネルリソースは、前記アップリンク制御チャネルリソースと重複せず、前記構成情報は、前記アップリンク共有チャネルリソースを使用する他のアップリンク送信とは無関係に前記アップリンク制御チャネルリソースを使用して送信されるように前記ＵＣＩをさらに構成するか、または前記構成情報は、前記決定することに応答して、前記アップリンク共有チャネルリソースを使用して送信されるように前記ＵＣＩをさらに構成する、
Ｃ２６に記載の方法。
［Ｃ３１］
前記アップリンク制御チャネルリソースを含む無線フレームの第１の数のサブフレームと、第２の数の構成されたアップリンク共有チャネル繰り返しとの間のマッピングを識別することをさらに備え、前記決定することは、前記マッピングに少なくとも部分的に基づく、
Ｃ２６に記載の方法。
［Ｃ３２］
前記決定することは、
前記第２の数の構成されたアップリンク共有チャネル繰り返しが前記第１の数のサブフレーム以上であるとき、前記ＵＣＩの送信のために前記アップリンク共有チャネルリソースを使用することを決定することを備える、
Ｃ３１に記載の方法。
［Ｃ３３］
前記決定することは、
前記第２の数の構成されたアップリンク共有チャネル繰り返しが前記第１の数のサブフレーム未満であるとき、前記ＵＣＩの送信のために前記アップリンク制御チャネルリソースを使用することを決定することをさらに備える、
Ｃ３２に記載の方法。
［Ｃ３４］
前記アップリンク共有チャネルリソースを使用して前記基地局に１つまたは複数のアップリンク共有チャネル送信を送信することをさらに備え、前記１つまたは複数のアップリンク共有チャネル送信は、前記ＵＣＩと多重化される、
Ｃ２６に記載の方法。
［Ｃ３５］
ワイヤレス通信のための方法であって、
基地局において、ユーザ機器（ＵＥ）から前記基地局への１つまたは複数のアップリンク送信のためにアップリンク共有チャネルリソースとアップリンク制御チャネルリソースとを用いて前記ＵＥを構成することと、
前記アップリンク共有チャネルリソースが、前記基地局に送信されるべきアップリンク制御情報（ＵＣＩ）の送信のために十分なリソースを含むかどうかを決定するように前記ＵＥを構成することと、
前記アップリンク共有チャネルリソースが前記ＵＣＩの送信のために十分なリソースを含むとき、前記アップリンク共有チャネルリソースを介して前記ＵＥから前記ＵＣＩを受信することと
を備える、方法。
［Ｃ３６］
前記アップリンク共有チャネルリソースが前記ＵＣＩの送信のために不十分なリソースを含むとき、前記アップリンク制御チャネルリソースを介して前記ＵＥから前記ＵＣＩを受信することをさらに備える、
Ｃ３５に記載の方法。
［Ｃ３７］
前記ＵＥにダウンリンク制御情報（ＤＣＩ）送信を送信することをさらに備え、前記ＤＣＩ送信は、前記アップリンク共有チャネルリソースが前記ＵＣＩを送信するために使用されることが可能かどうかのインジケーションを含む、
Ｃ３６に記載の方法。
［Ｃ３８］
前記ＵＣＩは、１つまたは複数のダウンリンク送信の受信に肯定応答する肯定応答フィードバック、前記肯定応答フィードバックが、前記１つまたは複数のダウンリンク送信の後に無線フレームの第１の有効なサブフレーム中で送信される、か、チャネルの１つまたは複数の測定パラメータを示すチャネル状態情報（ＣＳＩ）、前記ＣＳＩは、前記ＣＳＩが利用可能であり、前記ＵＥが、前記無線フレーム中でＣＳＩを報告するように構成されたとき、前記無線フレームのいずれかの利用可能なサブフレーム中で送信される、か、あるいはそれらの任意の組合せを含む、
Ｃ３５に記載の方法。
［Ｃ３９］
前記アップリンク共有チャネルリソースは、前記アップリンク制御チャネルリソースと重複せず、前記ＵＥは、前記アップリンク共有チャネルリソースを使用する他のアップリンク送信とは無関係に前記アップリンク制御チャネルリソースを使用して前記ＵＣＩを送信するようにさらに構成されるか、または前記アップリンク共有チャネルリソースが前記ＵＣＩの送信のために十分なリソースを含むとき、前記アップリンク共有チャネルリソースを使用して前記ＵＣＩを送信するようにさらに構成される、
Ｃ３５に記載の方法。
［Ｃ４０］
前記アップリンク制御チャネルリソースを含む無線フレームの第１の数のサブフレームと、第２の数の構成されたアップリンク共有チャネル繰り返しとの間のマッピングを識別することをさらに備え、ここにおいて、前記アップリンク共有チャネルリソースが前記ＵＣＩの送信のために十分なリソースを含むという決定が、前記マッピングに少なくとも部分的に基づく、
Ｃ３５に記載の方法。
［Ｃ４１］
前記アップリンク共有チャネルリソースが十分なリソースを含むかどうかを決定するように前記ＵＥを前記構成することは、
前記第２の数の構成されたアップリンク共有チャネル繰り返しが前記第１の数のサブフレーム以上であるとき、前記アップリンク共有チャネルリソースが前記ＵＣＩの送信のために使用されると決定するように前記ＵＥを構成することを備える、
Ｃ４０に記載の方法。
［Ｃ４２］
前記アップリンク共有チャネルリソースが十分なリソースを含むかどうかを決定するように前記ＵＥを前記構成することは、
前記第２の数の構成されたアップリンク共有チャネル繰り返しが前記第１の数のサブフレーム未満であるとき、前記アップリンク制御チャネルリソースが前記ＵＣＩの送信のために使用されると決定するように前記ＵＥを構成することを備える、
Ｃ４１に記載の方法。
［Ｃ４３］
前記アップリンク共有チャネルリソースを使用して前記ＵＥから１つまたは複数のアップリンク共有チャネル送信を受信することをさらに備え、前記１つまたは複数のアップリンク共有チャネル送信は、前記ＵＣＩと多重化される、
Ｃ３５に記載の方法。
［Ｃ４４］
ワイヤレス通信のための装置であって、
基地局への１つまたは複数のアップリンク送信の送信のために共有無線周波数スペクトル帯域内でアップリンクリソースの第１のセットとアップリンクリソースの第２のセットとを構成する構成情報を前記基地局から受信するための手段、前記アップリンクリソースの第１のセットは、前記アップリンクリソースの第２のセットに時間的に隣接する、と、
前記基地局からの１つまたは複数のダウンリンク送信に少なくとも部分的に基づいて前記基地局へのアップリンク制御チャネル送信のために前記アップリンクリソースの第１のセットまたは前記アップリンクリソースの第２のセットを選択するための手段と、
アップリンクリソースの前記選択された第１のセットまたはアップリンクリソースの前記選択された第２のセットを使用して前記基地局に前記１つまたは複数のアップリンク送信を送信するための手段と
を備える、装置。
［Ｃ４５］
前記アップリンクリソースの第１のセットと前記アップリンクリソースの第２のセットとの各々が、関連するアップリンク制御チャネルリソースを有する、
Ｃ４４に記載の装置。
［Ｃ４６］
前記アップリンクリソースの第１のセットまたは前記アップリンクリソースの第２のセットの前記選択は、アップリンク送信持続時間の時間境界に対する、前記アップリンクリソースの第１のセットに関連する前記アップリンク制御チャネルリソースの時間的ロケーションと、前記アップリンクリソースの第２のセットに関連する前記アップリンク制御チャネルリソースの時間的ロケーションとに少なくとも部分的に基づく、
Ｃ４５に記載の装置。
［Ｃ４７］
前記アップリンクリソースの第１のセットまたは前記アップリンクリソースの第２のセットを前記選択するための手段は、
前記基地局からの１つまたは複数のダウンリンク送信が、前記アップリンクリソースの第１のセットに関連するダウンリンクリソースを使用して送信されることを識別するための手段と、
前記識別することに少なくとも部分的に基づいて前記１つまたは複数のアップリンク送信のために前記アップリンクリソースの第１のセットを選択するための手段と
をさらに備える、Ｃ４４に記載の装置。
［Ｃ４８］
前記アップリンクリソースの第１のセットまたは前記アップリンクリソースの第２のセットを前記選択するための手段は、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で受信するための手段をさらに備える、
Ｃ４４に記載の装置。
［Ｃ４９］
前記１つまたは複数のアップリンク送信が、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
Ｃ４４に記載の装置。
［Ｃ５０］
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
Ｃ４４に記載の装置。
［Ｃ５１］
前記１つまたは複数のアップリンク送信を前記送信するための手段は、
前記基地局から受信されたアップリンク許可に少なくとも部分的に基づいて無線フレームの１つまたは複数のダウンリンクアップリンクパートの各々のためにアップリンクリソースの前記選択された第１のセットまたはアップリンクリソースの前記選択された第２のセットを使用して送信するための手段をさらに備える、
Ｃ４４に記載の装置。
［Ｃ５２］
前記基地局から受信された前記アップリンク許可は、前記アップリンクリソースの第１のセットまたは前記アップリンクリソースの第２のセットのうちのどちらが前記無線フレームの各ダウンリンクアップリンクパートのために使用されるべきかを動的に示す、
Ｃ５１に記載の装置。
［Ｃ５３］
前記基地局への前記アップリンク制御チャネル送信は、１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含む、
Ｃ４４に記載の装置。
［Ｃ５４］
前記１つまたは複数のアップリンク送信が、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がドロップされる、
Ｃ４４に記載の装置。
［Ｃ５５］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がアップリンク制御チャネル送信リソースの周りでレートマッチングされる、
Ｃ４４に記載の装置。
［Ｃ５６］
前記第１のサブフレーム内の前記アップリンク共有チャネル送信は、前記アップリンク制御チャネル送信リソースと、１つまたは複数の他の送信機の１つまたは複数の他のアップリンク制御チャネル送信リソースとの周りでレートマッチングされる、
Ｃ５５に記載の装置。
［Ｃ５７］
前記１つまたは複数のアップリンク送信は、サウンディング基準信号（ＳＲＳ）送信を含み、構成されたＳＲＳロケーションがアップリンクリソースの前記選択されたセット内にあるとき、前記ＳＲＳは、アップリンクリソースの前記選択されたセット中で送信され、前記構成されたＳＲＳロケーションが、アップリンクリソースの前記選択されたセットとはアップリンクリソースの異なるセット中にあるとき、スケジュールされたＳＲＳ送信は、ドロップされ、前記ＳＲＳロケーションが構成されないとき、前記ＳＲＳ送信は、アップリンクリソースのいずれかの選択されたセット中で送信される、
Ｃ４４に記載の装置。
［Ｃ５８］
ワイヤレス通信のための装置であって、
基地局において、少なくとも１つのユーザ機器（ＵＥ）のアップリンク送信のために共有無線周波数スペクトル帯域内でアップリンクリソースの第１のセットとアップリンクリソースの第２のセットとを構成するための手段、前記アップリンクリソースの第１のセットは、前記アップリンクリソースの第２のセットに時間的に隣接し、前記アップリンクリソースの第１のセットと前記アップリンクリソースの第２のセットとの各々は、関連するアップリンク制御チャネルリソースを有する、と、
前記第１のＵＥのアップリンク送信持続時間の時間境界に対する、前記アップリンクリソースの第１のセットに関連する前記制御チャネルリソースの時間的ロケーションと、前記アップリンクリソースの第２のセットに関連する前記制御チャネルリソースの時間的ロケーションとに少なくとも部分的に基づいて、第１のＵＥの１つまたは複数のアップリンク送信のために前記アップリンクリソースの第１のセットまたは前記アップリンクリソースの第２のセットを選択するための手段と、
前記アップリンクリソースの第１のセットまたは前記アップリンクリソースの第２のセットのうちのどちらが前記１つまたは複数のアップリンク送信のために使用されるべきかを示すインジケーションを前記第１のＵＥに送信するための手段と
を備える、装置。
［Ｃ５９］
ダウンリンクリソースの第１のセットを使用して前記第１のＵＥに１つまたは複数のダウンリンク送信を送信するための手段をさらに備え、前記１つまたは複数のダウンリンク送信のために使用されるダウンリンクリソースの前記第１のセットは、前記アップリンクリソースの第１のセットが前記１つまたは複数のアップリンク送信のために使用されるべきことを前記ＵＥに示す、
Ｃ５８に記載の装置。
［Ｃ６０］
前記第１のＵＥに前記インジケーションを前記送信するための手段は、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で送信するための手段をさらに備える、
Ｃ５８に記載の装置。
［Ｃ６１］
前記１つまたは複数のアップリンク送信は、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
Ｃ５８に記載の装置。
［Ｃ６２］
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
Ｃ５８に記載の装置。
［Ｃ６３］
前記アップリンクリソースの第１のセットを前記構成するための手段は、
無線フレームの１つまたは複数のダウンリンクアップリンクパートの各々のために前記アップリンクリソースの第１のセットと前記アップリンクリソースの第２のセットとを構成するための手段をさらに備える、
Ｃ５８に記載の装置。
［Ｃ６４］
前記第１のＵＥに前記インジケーションを前記送信するための手段は、
前記アップリンクリソースの第１のセットまたは前記アップリンクリソースの第２のセットのうちのどちらが前記無線フレームの各ダウンリンクアップリンクパートのために使用されるべきかを動的に示す１つまたは複数のアップリンク許可を前記第１のＵＥに送信するための手段をさらに備える、
Ｃ６３に記載の装置。
［Ｃ６５］
１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含むアップリンク制御チャネル送信を前記第１のＵＥから受信するための手段をさらに備える、
Ｃ５８に記載の装置。
［Ｃ６６］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、ドロップされる、
Ｃ５８に記載の装置。
［Ｃ６７］
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
Ｃ５８に記載の装置。
［Ｃ６８］
前記第１のサブフレーム内の前記アップリンク共有チャネル送信が、前記アップリンク制御チャネル送信リソースと、１つまたは複数の他の送信機の１つまたは複数の他のアップリンク制御チャネル送信リソースとの周りでレートマッチングされる、Ｃ６７に記載の装置。
［Ｃ６９］
ワイヤレス通信のための装置であって、
ユーザ機器（ＵＥ）から基地局への１つまたは複数のアップリンク送信のためにアップリンク共有チャネルリソースとアップリンク制御チャネルリソースとを構成する構成情報を前記基地局から前記ＵＥにおいて受信するための手段と、
前記基地局に送信されるべきアップリンク制御情報（ＵＣＩ）を識別するための手段と、
前記アップリンク共有チャネルリソースが前記基地局への前記ＵＣＩの送信のために十分なリソースを含むと決定するための手段と、
前記決定することに応答して、前記アップリンク共有チャネルリソースを使用して前記基地局に前記ＵＣＩを送信するための手段と
を備える、装置。
［Ｃ７０］
前記アップリンク共有チャネルリソースが前記基地局への前記ＵＣＩの送信のために不十分なリソースを含むと決定することに応答して、前記アップリンク制御チャネルリソースを使用して前記基地局に前記ＵＣＩを送信するための手段をさらに備える、
Ｃ６９に記載の装置。
［Ｃ７１］
前記基地局からダウンリンク制御情報（ＤＣＩ）送信を受信するための手段をさらに備え、前記ＤＣＩ送信は、前記アップリンク共有チャネルリソースが前記ＵＣＩを送信するために使用されることが可能かどうかのインジケーションを含み、前記決定するための手段は、前記アップリンク共有チャネルリソースが前記ＵＣＩを送信するために使用されることが可能であるというＤＣＩインジケーションを受信することに応答して実施される、
Ｃ７０に記載の装置。
［Ｃ７２］
前記ＵＣＩは、前記基地局から受信された１つまたは複数のダウンリンク送信の後に、無線フレームの第１の有効なサブフレーム中で送信される１つまたは複数のダウンリンク送信の受信に肯定応答する肯定応答フィードバックか、チャネル状態情報（ＣＳＩ）が利用可能であり、前記ＵＥが、前記無線フレーム中でＣＳＩを報告するように構成されたとき、前記無線フレームのいずれかの利用可能なサブフレーム中で送信されるチャネルの１つまたは複数の測定パラメータを示すＣＳＩか、あるいはそれらの任意の組合せを含む、
Ｃ６９に記載の装置。
［Ｃ７３］
前記アップリンク共有チャネルリソースは、前記アップリンク制御チャネルリソースと重複せず、前記構成情報は、前記アップリンク共有チャネルリソースを使用する他のアップリンク送信とは無関係に前記アップリンク制御チャネルリソースを使用して送信されるように前記ＵＣＩをさらに構成するか、または前記構成情報が、前記決定することに応答して、前記アップリンク共有チャネルリソースを使用して送信されるように前記ＵＣＩをさらに構成する、
Ｃ６９に記載の装置。
［Ｃ７４］
前記アップリンク制御チャネルリソースを含む無線フレームの第１の数のサブフレームと、第２の数の構成されたアップリンク共有チャネル繰り返しとの間のマッピングを識別するための手段をさらに備え、前記決定することは、前記マッピングに少なくとも部分的に基づく、
Ｃ６９に記載の装置。
［Ｃ７５］
前記アップリンク共有チャネルリソースが十分なリソースを含むと前記決定するための手段は、
前記第２の数の構成されたアップリンク共有チャネル繰り返しが前記第１の数のサブフレーム以上であるとき、前記ＵＣＩの送信のために前記アップリンク共有チャネルリソースを使用することを決定するための手段をさらに備える、
Ｃ７４に記載の装置。
［Ｃ７６］
前記アップリンク共有チャネルリソースが十分なリソースを含むと前記決定するための手段は、
前記第２の数の構成されたアップリンク共有チャネル繰り返しが前記第１の数のサブフレーム未満であるとき、前記ＵＣＩの送信のために前記アップリンク制御チャネルリソースを使用することを決定するための手段をさらに備える、
Ｃ７５に記載の装置。
［Ｃ７７］
前記アップリンク共有チャネルリソースを使用して前記基地局に１つまたは複数のアップリンク共有チャネル送信を送信するための手段をさらに備え、前記１つまたは複数のアップリンク共有チャネル送信は、前記ＵＣＩと多重化される、
Ｃ６９に記載の装置。
［Ｃ７８］
ワイヤレス通信のための装置であって、
基地局において、ユーザ機器（ＵＥ）から前記基地局への１つまたは複数のアップリンク送信のためにアップリンク共有チャネルリソースとアップリンク制御チャネルリソースとを用いて前記ＵＥを構成するための手段と、
前記アップリンク共有チャネルリソースが、前記基地局に送信されるべきアップリンク制御情報（ＵＣＩ）の送信のために十分なリソースを含むかどうかを決定するように前記ＵＥを構成するための手段と、
前記アップリンク共有チャネルリソースが前記ＵＣＩの送信のために十分なリソースを含むとき、前記アップリンク共有チャネルリソースを介して前記ＵＥから前記ＵＣＩを受信するための手段と
を備える、装置。
［Ｃ７９］
前記アップリンク共有チャネルリソースが前記ＵＣＩの送信のために不十分なリソースを含むとき、前記アップリンク制御チャネルリソースを介して前記ＵＥから前記ＵＣＩを受信するための手段をさらに備える、
Ｃ７８に記載の装置。
［Ｃ８０］
前記ＵＥにダウンリンク制御情報（ＤＣＩ）送信を送信するための手段をさらに備え、前記ＤＣＩ送信は、前記アップリンク共有チャネルリソースが前記ＵＣＩを送信するために使用されることが可能かどうかのインジケーションを含む、
Ｃ７９に記載の装置。
［Ｃ８１］
前記ＵＣＩは、１つまたは複数のダウンリンク送信の受信に肯定応答する肯定応答フィードバック、前記肯定応答フィードバックが、前記１つまたは複数のダウンリンク送信の後に無線フレームの第１の有効なサブフレーム中で送信される、か、チャネルの１つまたは複数の測定パラメータを示すチャネル状態情報（ＣＳＩ）、前記ＣＳＩは、前記ＣＳＩが利用可能であり、前記ＵＥが、前記無線フレーム中でＣＳＩを報告するように構成されたとき、前記無線フレームのいずれかの利用可能なサブフレーム中で送信される、か、あるいはそれらの任意の組合せを含む、
Ｃ７８に記載の装置。
［Ｃ８２］
前記アップリンク共有チャネルリソースは、前記アップリンク制御チャネルリソースと重複せず、前記ＵＥは、前記アップリンク共有チャネルリソースを使用する他のアップリンク送信とは無関係に前記アップリンク制御チャネルリソースを使用して前記ＵＣＩを送信するようにさらに構成されるか、または前記アップリンク共有チャネルリソースが前記ＵＣＩの送信のために十分なリソースを含むとき、前記アップリンク共有チャネルリソースを使用して前記ＵＣＩを送信するようにさらに構成される、
Ｃ７８に記載の装置。
［Ｃ８３］
前記アップリンク制御チャネルリソースを含む無線フレームの第１の数のサブフレームと、第２の数の構成されたアップリンク共有チャネル繰り返しとの間のマッピングを識別するための手段をさらに備え、前記アップリンク共有チャネルリソースが前記ＵＣＩの送信のために十分なリソースを含むという決定は、前記マッピングに少なくとも部分的に基づく、
Ｃ７８に記載の装置。
［Ｃ８４］
前記アップリンク共有チャネルリソースがどうかを決定するように前記ＵＥを前記構成するための手段は、
前記第２の数の構成されたアップリンク共有チャネル繰り返しが前記第１の数のサブフレーム以上であるとき、前記ＵＣＩの送信のために前記アップリンク共有チャネルリソースが使用されると決定するための手段
をさらに備える、Ｃ８３に記載の装置。
［Ｃ８５］
前記アップリンク共有チャネルリソースがどうかを決定するように前記ＵＥを前記構成するための手段は、
前記第２の数の構成されたアップリンク共有チャネル繰り返しが前記第１の数のサブフレーム未満であるとき、前記ＵＣＩの送信のために前記アップリンク制御チャネルリソースが使用されると決定するための手段をさらに備える、
Ｃ８４に記載の装置。
［Ｃ８６］
前記アップリンク共有チャネルリソースを使用して前記ＵＥから１つまたは複数のアップリンク共有チャネル送信を受信するための手段をさらに備え、前記１つまたは複数のアップリンク共有チャネル送信は、前記ＵＣＩと多重化される、
Ｃ７８に記載の装置。